(57)【要約】      （修正有）【課題】簡単な構造で、バンドの一端部を直接ケースに取り付けることができ、かつバンドをケースに対して強固に固定できるバンド取付構造およびそれを備えた腕時計を提供する。【解決手段】外側面にねじ穴１４が設けられた腕時計ケース１と、一端部１０ａに取付孔１６が設けられた時計バンド１０と、この時計バンド１０の取付孔１６を通してねじ穴１４に螺合して時計バンド１０を腕時計ケース１に取り付けるねじ部材１１と、このねじ部材１１の近傍に設けられて腕時計ケース１に対する時計バンド１０のめくれを防ぐめくれ防止部１９と、を備えている。従って、ねじ部材１１を時計バンド１０の取付孔１６に挿入させて腕時計ケース１のねじ穴１４に螺合させるだけの簡単な構造で、時計バンド１０のめくれを防いで、時計バンド１０を腕時計ケース１に直接取り付けることができると共に、時計バンド１０を腕時計ケース１に対して強固に固定することができる。【選択図】図３
2015213696.tif 000002
【特許請求の範囲】
【請求項１】
外側面にねじ穴が外部から内部に向けて設けられたケースと、
一端部に取付孔が前記ケースの前記ねじ穴と同一軸上に対応して設けられたバンドと、
前記バンドの前記取付孔を通して前記ケースの前記ねじ穴に螺合して前記バンドを前記ケースに取り付けるねじ部材と、
前記ねじ部材の近傍に設けられ、前記ケースに対する前記バンドのめくれを防ぐめくれ防止部と、
を備えていることを特徴とするバンド取付構造。
【請求項２】
請求項１に記載のバンド取付構造において、前記めくれ防止部は、前記ケースの前記外側面における前記ねじ穴の近傍に設けられた嵌合突起と、前記バンドの前記取付孔の近傍に設けられて前記嵌合突起が係合する係合凹部と、を有していることを特徴とするバンド取付構造。
【請求項３】
請求項２に記載のバンド取付構造において、前記嵌合突起は前記ねじ穴の外周に沿ってほぼ円弧状に設けられており、前記係合凹部は前記嵌合突起に対応する前記取付孔の外周に沿ってほぼ円弧状に設けられていることを特徴とするバンド取付構造。
【請求項４】
請求項１〜請求項３のいずれかに記載のバンド取付構造において、前記ねじ部材は、前記ケースの前記外側面に対して傾斜した状態で取り付けられていることを特徴とするバンド取付構造。
【請求項５】
請求項１〜請求項４のいずれかに記載のバンド取付構造において、前記ねじ部材は、前記ケースの前記ねじ穴に螺合するねじ部と、前記バンドの前記取付孔に挿入する首部と、前記バンドの前記取付孔の内径よりも大きい頭部とを有し、前記頭部の外端面が前記バンドの外表面とほぼ同じ平面で取り付けられていることを特徴とするバンド取付構造。
【請求項６】
請求項５に記載のバンド取付構造において、前記バンドには、前記ねじ部材の前記頭部が配置する頭部挿入凹部が設けられており、前記頭部挿入凹部内には、前記ねじ部材の前記頭部によって前記バンドに押し付けられる補強部材が設けられていることを特徴とするバンド取付構造。
【請求項７】
請求項６に記載のバンド取付構造において、前記バンドの前記取付孔は、その軸方向の長さが、前記ケースの前記嵌合突起の内周面と前記補強部材の外周面との間の距離よりも長く形成されていることを特徴とするバンド取付構造。
【請求項８】
請求項１〜請求項７のいずれかに記載されたバンド取付構造を備えていることを特徴とする腕時計。
【発明の詳細な説明】
【技術分野】
【０００１】
この発明は、腕時計などの腕装着型の電子機器、または鞄やバッグなどに用いられるバンド取付構造およびそれを備えた腕時計に関する。
【背景技術】
【０００２】
例えば、腕時計のバンド取付構造においては、特許文献１に記載されているように、腕時計ケースの外側面にバンド取付部材をねじ部材によって取り付け、このバンド取付部材に時計バンドの一端部を取り付けるように構成されたものが知られている。
【先行技術文献】
【特許文献】
【０００３】
【特許文献１】特開２０００−３３００４号公報
【発明の概要】
【発明が解決しようとする課題】
【０００４】
しかしながら、このような腕時計のバンド取付構造では、時計バンドの一端部を腕時計ケースに直接取り付けることができず、バンド取付部材を介して取り付けなければならないため、部品点数が多く、構造が複雑になるという問題がある。
【０００５】
この発明が解決しようとする課題は、簡単な構造で、バンドの一端部を直接ケースに取り付けることができ、かつバンドをケースに対して強固に固定することができるバンド取付構造およびそれを備えた腕時計を提供することである。
【課題を解決するための手段】
【０００６】
この発明は、外側面にねじ穴が外部から内部に向けて設けられたケースと、一端部に取付孔が前記ケースの前記ねじ穴と同一軸上に対応して設けられたバンドと、前記バンドの前記取付孔を通して前記ケースの前記ねじ穴に螺合して前記バンドを前記ケースに取り付けるねじ部材と、前記ねじ部材の近傍に設けられ、前記ケースに対する前記バンドのめくれを防ぐめくれ防止部と、を備えていることを特徴とするバンド取付構造である。
【発明の効果】
【０００７】
この発明によれば、ねじ部材をバンドの取付孔に挿入させてケースのねじ穴に螺合させるだけの簡単な構造で、バンドをケースに容易に取り付けることができると共に、めくれ防止部によってケースに対するバンドのめくれを防ぐことができる。このため、構造が簡単で、バンドの一端部を直接ケースに取り付けることができると共に、バンドをケースに対して強固に固定することができる。
【図面の簡単な説明】
【０００８】
【図１】この発明を腕時計に適用した第１実施形態を示した拡大正面図である。
【図２】図１に示された腕時計の要部を示した拡大斜視図である。
【図３】図１に示された腕時計のＡ−Ａ矢視における要部の拡大断面図である。
【図４】図２に示された腕時計における腕時計ケースのバンド取付部を示し、（ａ）はそのバンド取付部の要部であるバンド固定部を示した拡大斜視図、（ｂ）はそのバンド固定部のねじ穴にねじ部材を補強部材と共に取り付けた状態を示した拡大斜視図である。
【図５】この発明を腕時計に適用した第２実施形態において、その要部を示した拡大断面図である。
【図６】図５に示された腕時計における腕時計ケースのバンド取付部を示し、（ａ）はそのバンド取付部の要部であるバンド固定部を示した拡大斜視図、（ｂ）はそのバンド固定部のねじ穴にねじ部材を補強部材と共に取り付けた状態を示した拡大斜視図である。
【発明を実施するための形態】
【０００９】
（第１実施形態）
以下、図１〜図４を参照して、この発明を腕時計に適用した第１実施形態について説明する。
この腕時計は、図１および図２に示すように、腕時計ケース１を備えている。この腕時計ケース１は、図３に示すように、ケース本体２と外装ケース３とを有している。
【００１０】
ケース本体２は、硬質の合成樹脂からなり、図３に示すように、その内部に補強用の金属部材２ａがインサート成型によって埋め込まれた構成になっている。外装ケース３は、ケース本体２の外側面を覆う第１ベゼル４と、この第１ベゼル４の上部外周およびケース本体２の上端部を覆う第２ベゼル５と、を有している。この場合、第１ベゼル４と第２ベゼル５とは、ウレタン樹脂などの軟質の合成樹脂で形成されている。
【００１１】
この腕時計ケース１の上部開口部、つまりケース本体２の上部開口部には、図３に示すように、時計ガラス６がパッキン６ａを介して取り付けられている。また、この腕時計ケース１の下部、つまりケース本体２の下部には、ステンレスなどの剛性の高い金属からなる裏蓋７が防水リング７ａを介して取り付けられている。さらに、この腕時計ケース１の３時側と９時側とに位置する外周面には、図１に示すように、複数のスイッチ部８が設けられている。
【００１２】
また、この腕時計ケース１の内部、つまりケース本体２の内部には、図３に示すように、時計モジュール９が組み込まれている。この時計モジュール９は、図示しないが、指針を運針するための時計ムーブメントや、時刻などの情報を電気光学的に表示する表示装置、およびこれら時計ムーブメントや表示装置を駆動する回路基板など、時計機能に必要な各種の部品を備えている。
【００１３】
さらに、この腕時計ケース１は、図１〜図３に示すように、１２時側と６時側とに位置する外周面に時計バンド１０がねじ部材１１によってそれぞれ取り付けられるように構成されている。すなわち、ケース本体２の１２時側と６時側とに位置する外周面には、図３および図４に示すように、時計バンド１０が取り付けられるバンド取付部１２がそれぞれ設けられている。
【００１４】
このバンド取付部１２は、図３および図４に示すように、ケース本体２の外周に沿う方向に長い長方形状の突起部であり、外装ケース３の第１ベゼル４よりも外部に突出した状態で、ケース本体２の外側面に一体に形成されている。このバンド取付部１２におけるケース本体２の外周に沿う方向における両側部には、バンド固定部１３がそれぞれ設けられている。
【００１５】
このバンド固定部１３は、図３および図４（ａ）に示すように、バンド取付部１２の両端部が切り欠かれて一段低く形成されている。この場合、バンド固定部１３は、その上部から下部に向けて次第に突出する傾斜面１３ａに形成されていると共に、この傾斜面１３ａがケース本体２の外周面に沿って湾曲した形状に形成されている。このバンド固定部１３の傾斜面１３ａのほぼ中央部には、ねじ穴１４がケース本体２の外部から内部に向けてケース本体２の内部に貫通しない状態で設けられている。
【００１６】
このねじ穴１４は、図１、図３および図４（ａ）に示すように、その中心軸がケース本体２の中心部に向かう放射線（図１参照）上に位置するように傾斜していると共に、ケース本体２の上下方向に向けても傾斜している状態（図３参照）で、バンド取付部１２のバンド固定部１３に設けられている。すなわち、このねじ穴１４は、バンド固定部１３の傾斜面１３ａに対してほぼ垂直に設けられている。
【００１７】
一方、時計バンド１０は、ウレタン樹脂などの軟質の合成樹脂によって形成されている。この時計バンド１０は、図１〜図３に示すように、その一端部１０ａがケース本体２のバンド取付部１２にねじ部材１１によって取り付けられるように構成されている。この場合、ねじ部材１１は、図３に示すように、ねじ穴１４に螺合するねじ部１１ａと、このねじ部１１ａの外径よりも大きい外径の首部１１ｂと、この首部１１ｂの外径よりも更に大きい外径の頭部１１ｃとを有している。
【００１８】
時計バンド１０の一端部１０ａは、図３に示すように、バンド取付部１２を覆うと共に、このバンド取付部１２の周囲近傍に位置する外装ケース３の第１ベゼル４の一部を覆うように形成されている。すなわち、時計バンド１０の一端部１０ａには、図３および図４に示すように、外装ケース３の第１ベゼル４よりも突出したバンド取付部１２が挿入する嵌合凹部１５が設けられている。
【００１９】
この嵌合凹部１５は、図３に示すように、バンド取付部１２の両側部に設けられたバンド固定部１３に対応する個所がそれぞれ浅く形成され、バンド固定部１３の間に位置するバンド取付部１２の中間部に対応する個所（図示せず）が深く形成されている。また、この嵌合凹部１５は、図２に示すように、バンド固定部１３の外周を囲う側壁部１５ａがスカート状に形成されている。
【００２０】
この場合、嵌合凹部１５の側壁部１５ａのうち、腕時計ケース１の外周に沿う両側に位置する側壁部１５ａは、図２に示すように、その肉厚が厚く形成され、バンド固定部１３の両側面に対応して当接することにより、バンド固定部１３の両側面を覆うように構成されている。また、この時計バンド１０の一端部１０ａには、図３に示すように、ねじ部材１１の首部１１ｂが挿入する取付孔１６がケース本体２のねじ穴１４と同一軸上に対応するように設けられている。
【００２１】
すなわち、この取付孔１６は、図３に示すように、その内径がねじ部材１１の首部１１ｂの外径とほぼ同じで、ケース本体２のねじ穴１４の内径よりも大きく形成されている。また、この取付孔１６は、バンド取付部１２の両側部に設けられたバンド固定部１３に位置する嵌合凹部１５に対応する個所に、ケース本体２のねじ穴１４と同じ傾斜角度で傾斜して設けられている。
【００２２】
この取付孔１６が設けられた時計バンドの一端部１０ａには、図３に示すように、ねじ部材１１の頭部１１ｃが配置する頭部挿入凹部１７が、取付孔１６と同一軸上に設けられている。この頭部挿入凹部１７は、その内径がねじ部材１１の頭部１１ｃの外径よりも十分に大きく形成され、かつ軸方向の長さ（深さ）が頭部１１ｃの軸方向の長さよりも十分に長く形成されている。
【００２３】
この頭部挿入凹部１７には、図３および図４（ｂ）に示すように、ねじ部材１１の頭部１１ｃが配置すると共に、この頭部１１ｃによって時計バンド１０に押し付けられる補強部材１８が嵌め込まれている。この補強部材１８は、金属または硬質の合成樹脂によって形成されている。すなわち、この補強部材１８は、ねじ部材１１の首部１１ｂが挿入するリング部１８ａと、ねじ部材１１の頭部１１ｃが配置する筒状部１８ｂとを有している。
【００２４】
リング部１８ａは、図３および図４（ｂ）に示すように、その内径がねじ部材１１の首部１１ｂの外径とほぼ同じ大きさで、外径が頭部挿入凹部１７の内径とほぼ同じ大きさに形成されている。筒状部１８ｂは、その内径がねじ部材１１の頭部１１ｃの外径とほぼ同じ大きさで、外径が頭部挿入凹部１７の内径とほぼ同じ大きさに形成されている。
【００２５】
また、この筒状部１８ｂは、図３および図４（ｂ）に示すように、その軸方向の長さが、頭部挿入凹部１７の軸方向の長さよりもリング部１８ａの厚み分だけ短く形成され、かつねじ部材１１の頭部１１ｃの軸方向の長さとほぼ同じ長さになるように形成されている。このため、補強部材１８は、時計バンド１０の頭部挿入凹部１７内に嵌め込まれるように構成されている。
【００２６】
これにより、ねじ部材１１は、図３に示すように、時計バンド１０の頭部挿入凹部１７内に嵌め込まれた補強部材１８のリング部１８ａおよび時計バンド１０の取付孔１６にねじ部１１ａが挿入し、この挿入したねじ部１１ａが更にケース本体２のねじ穴１４に螺合すると、首部１１ｂが時計バンド１０の取付孔１６に挿入して、頭部１１ｃが補強部材１８の筒状部１８ｂ内に配置され、この状態で時計バンド１０をケース本体２のバンド取付部１２に取り付けるように構成されている。
【００２７】
すなわち、このねじ部材１１は、図３に示すように、ねじ部１１ａがケース本体２のねじ穴１４に螺合して締め付けられた際に、頭部１１ｃが補強部材１８のリング部１８ａを時計バンド１０の頭部挿入凹部１７の底部に押し付け、この押し付けられた補強部材１８のリング部１８ａが時計バンド１０の一端部１０ａをバンド取付部１２のバンド固定部１３に押し付けることにより、時計バンド１０をバンド取付部１２に取り付けるように構成されている。
【００２８】
この場合、ねじ部材１１は、図３に示すように、頭部１１ｃが補強部材１８のリング部１８ａを時計バンド１０の頭部挿入凹部１７の底部に押し付けると、補強部材１８の筒状部１８ｂが時計バンド１０の頭部挿入凹部１７内に押し込まれると共に、頭部１１ｃが補強部材１８の筒状部１８ｂ内に配置され、この頭部１１ｃの外端面が筒状部１８ｂの外端部と同じ平面に配置されるように構成されている。
【００２９】
ところで、時計バンド１０の一端部１０ａは、図３および図４に示すように、めくれ防止部１９によってケース本体２のバンド取付部１２に対するめくれが阻止されるように構成されている。すなわち、このめくれ防止部１９は、ケース本体２のバンド取付部１２に設けられた嵌合突起２０と、時計バンド１０の一端部１０ａに設けられて嵌合突起２０が嵌合する係合凹部２１とを備えている。
【００３０】
嵌合突起２０は、図３および図４に示すように、バンド取付部１２のバンド固定部１３におけるねじ穴１４の近傍に位置した状態で、ケース本体２の外部に向けて突出して設けられている。すなわち、この嵌合突起２０は、バンド固定部１３のねじ穴１４を中心とする円弧に沿ってほぼ円弧状に設けられている。
【００３１】
また、係合凹部２１は、図３に示すように、バンド取付部１２のバンド固定部１３が対応する時計バンド１０の嵌合凹部１５の個所における取付孔１６の近傍に位置して設けられている。この係合凹部２１は、時計バンド１０の取付孔１６を中心とする円弧に沿ってほぼ円弧状に設けられている。
【００３２】
これにより、めくれ防止部１９は、図３および図４に示すように、ケース本体２のバンド取付部１２の嵌合突起２０が時計バンド１０の係合凹部２１に嵌合して、ねじ部材１１の周囲を囲むことにより、バンド取付部１２に対する時計バンド１０のめくれを防ぐと共に、バンド取付部１２に対して時計バンド１０の一端部１０ａを位置決めるように構成されている。
【００３３】
この場合、時計バンド１０の取付孔１６は、図３に示すように、その軸方向の長さＬ１が、嵌合突起２０の内周面と補強部材１８の外周面との間の距離Ｌ２よりも長く（Ｌ１＞Ｌ２）形成されている。このため、時計バンド１０は、その一端部１０ａがバンド取付部１２に取り付けられて、嵌合突起２０が係合凹部２１に嵌合していることにより、腕時計ケース１の下側から時計バンド１０が押し上げられた際に、時計バンド１０の一端部１０ａがバンド取付部１２からめくれ上がって外れないように構成されている。
【００３４】
次に、このような腕時計ケース１に時計バンド１０を取り付ける場合について説明する。
この場合には、まず、ケース本体２に外装ケース３を取り付ける。このときには、ケース本体２の外側面に外装ケース３の第１ベゼル４を取り付け、この第１ベゼル４の上部外周およびケース本体２の上端部に外装ケース３の第２ベゼル５を取り付ける。この状態では、ケース本体２の１２時側と６時側とに設けられたバンド取付部１２が第１ベゼル４の外面よりも突出する。
【００３５】
この状態で、ケース本体２のバンド取付部１２に時計バンド１０の一端部１０ａをねじ部材１１によって取り付ける。このときには、まず、時計バンド１０の一端部１０ａに設けられた嵌合凹部１５をケース本体２のバンド取付部１２に嵌合させ、この嵌合凹部１５の周囲に位置する時計バンド１０の一端部１０ａを外装ケース３の第１ベゼル４の外面に当接させる。これにより、バンド取付部１２が時計バンド１０の一端部１０ａによって覆われる。
【００３６】
このときには、バンド取付部１２のバンド固定部１３に、これに対応する時計バンド１０の嵌合凹部１５の個所が押し付けられ、バンド固定部１３に設けられためくれ防止部１９の嵌合突起２０が、時計バンド１０の嵌合凹部１５に設けられためくれ防止部１９の係合凹部２１に嵌合する。この場合、嵌合凹部１５の全周に設けられた側壁部１５ａが、バンド固定部１３の外周を囲って覆う。
【００３７】
すなわち、嵌合凹部１５の側壁部１５ａのうち、腕時計ケース１の外周に沿う両側に位置する側壁部１５ａが、バンド固定部１３の両側面に対応して当接して、バンド固定部１３の両側面を覆って配置されている。これにより、時計バンド１０の一端部１０ａがケース本体２のバンド取付部１２に正確にかつ確実に位置規制されて配置される。
【００３８】
この状態では、バンド取付部１２のバンド固定部１３に設けられたねじ穴１４と、時計バンド１０の一端部１０ａに設けられた取付孔１６と、時計バンド１０の一端部１０ａの表面側に設けられて頭部挿入凹部１７とが、同一軸上に対応する。この状態で、時計バンド１０の頭部挿入凹部１７内に補強部材１８を嵌め込み、この補強部材１８のリング部１８ａの中心を取付孔１６の中心軸と一致させる。
【００３９】
そして、ねじ部材１１のねじ部１１ａを時計バンド１０の外部から補強部材１８の筒状部１８ｂおよびリング部１８ａに挿入させると共に、この挿入されたねじ部材１１のねじ部１１ａを時計バンド１０の取付孔１６に挿入させて、バンド取付部１２のねじ穴１４に螺入させる。すると、ねじ部材１１の首部１１ｂが時計バンド１０の取付孔１６に挿入し、ねじ部材１１の頭部１１ｃが補強部材１８の筒状部１８ｂ内に配置される。
【００４０】
この状態で、ねじ部材１１を締め付けて、ねじ部１８ａをバンド取付部１３のねじ穴１４に螺着すると、ねじ部材１１の頭部１１ｃが補強部材１８のリング部１８ａを時計バンド１０の頭部挿入凹部１７の底部に押し付けて、時計バンド１０の一端部１０ａをバンド取付部１２のバンド固定部１３に押し付ける。すると、補強部材１８の筒状部１８ｂが時計バンド１０の頭部挿入凹部１７に埋め込まれ、ねじ部材１１の頭部１１ｃの外端面と筒状部１８ｂの外端部とがほぼ同一平面上に配置される。
【００４１】
このときには、時計バンド１０の一端部１０ａがバンド取付部１２のバンド固定部１３に押し付けられることにより、バンド取付部１２のバンド固定部１３に設けられためくれ防止部１９の嵌合突起２０が、時計バンド１０の嵌合凹部１５に設けられためくれ防止部１９の係合凹部２１に確実に押し込まれ、嵌合突起２０が係合凹部２１に強固に嵌着する。これにより、時計バンド１０がバンド取付部１２に確実にかつ強固に取り付けられる。
【００４２】
この状態では、めくれ防止部１９の嵌合突起２０と係合凹部２１とがねじ部材１１の外周を囲む。また、時計バンド１０の取付孔１６の軸方向の長さＬ１が、嵌合突起２０の内周面と補強部材１８の外周面との間の距離Ｌ２よりも長い（Ｌ１＞Ｌ２）。このため、腕時計ケース１の下側から時計バンド１０が引っ張り上げられた際に、嵌合突起２０が係合凹部２１から離脱することがない。これにより、時計バンド１０の一端部１０ａがバンド取付部１２からめくれ上がって外れることがない。
【００４３】
このような腕時計を腕に取り付けて使用する際には、時計バンド１０の一端部１０ａが腕時計ケース１の外側面に固定されていることにより、時計バンド１０の一端部１０ａと腕時計ケース１との間に隙間が発生することがなく、時計バンド１０と腕時計ケース１との一体感が得られる。また、腕時計ケース１を時計バンド１０によって使用者の手首に取り付けた際には、手首への時計バンド１０の締め付けが軽減され、腕時計ケース１が腕に良好に装着される。
【００４４】
このように、この腕時計のバンド取付構造によれば、外側面にねじ穴１４が設けられた腕時計ケース１と、一端部１０ａに取付孔１６が設けられた時計バンド１０と、この時計バンド１０の取付孔１６を通して腕時計ケース１のねじ穴１４に螺合して時計バンド１０を腕時計ケース１に取り付けるねじ部材１１と、このねじ部材１１の近傍に設けられて腕時計ケース１に対する時計バンド１０のめくれを防ぐめくれ防止部１９と、を備えているので、簡単な構造で、時計バンド１０の一端部１０ａを直接腕時計ケース１に取り付けることができ、かつ時計バンド１０の一端部１０ａを腕時計ケース１に対して強固に固定することができる。
【００４５】
すなわち、この腕時計のバンド取付構造では、ねじ部材１１を時計バンド１０の取付孔１６に挿入させて腕時計ケース１のねじ穴１４に螺合させるだけの簡単な構造で、時計バンド１０を腕時計ケース１に容易に取り付けることができると共に、めくれ防止部１９によって腕時計ケース１に対する時計バンド１０のめくれを確実に防ぐことができる。このため、構造が簡単で、時計バンド１０の一端部１０ａを直接腕時計ケース１に取り付けることができると共に、時計バンド１０の一端部１０ａを腕時計ケース１に対して強固に固定することができる。
【００４６】
これにより、このバンド取付構造では、時計バンド１０の一端部１０ａを腕時計ケース１の外側面に固定できるので、時計バンド１０の一端部１０ａと腕時計ケース１との間に隙間が発生するのを防ぐことができ、時計バンド１０と腕時計ケース１との一体感を得ることができる。また、腕時計ケース１を時計バンド１０によって使用者の手首に取り付けた際には、手首への時計バンド１０の締め付けを軽減することができるので、腕時計ケース１を腕に良好に装着することができる。
【００４７】
この場合、めくれ防止部１９は、腕時計ケース１の外側面におけるねじ穴の近傍に設けられた嵌合突起２０と、時計バンド１０の取付孔１６の近傍に設けられて嵌合突起２０が係合する係合凹部２１と、を有しているので、腕時計ケース１の嵌合突起２０が時計バンド１０の係合凹部２１に係合することにより、腕時計ケース１に対して正確にかつ確実に位置規制することができるほか、腕時計ケース１に対する時計バンド１０の一端部１０ａのめくれを確実に防ぐことができる。
【００４８】
すなわち、めくれ防止部１９の嵌合突起２０はねじ穴１４の外周に沿ってほぼ円弧状に設けられており、めくれ防止部１９の係合凹部２１は嵌合突起２０に対応する取付孔１６の外周に沿ってほぼ円弧状に設けられていることにより、ねじ部材１１によって時計バンド１０の一端部１０ａを腕時計ケース１のバンド取付部１３に取り付けた際に、そのねじ部材１１を嵌合突起２０と係合凹部２１とで囲むことができる。
【００４９】
このため、時計バンド１０がウレタン樹脂などの軟質の合成樹脂で形成されていても、腕時計ケース１の下側から時計バンド１０が引っ張り上げられた際に、めくれ防止部１９の嵌合突起２０と係合凹部２１とによって時計バンド１０の取付孔１６の広がり変形を抑制することができるので、時計バンド１０の引っ張りに対する強度が増し、時計バンド１０を外れ難くすることができる。
【００５０】
また、ねじ部材１１が嵌合突起２０と係合凹部２１とで囲われていることにより、ねじ部材１１の締め付けによって嵌合突起２０が係合凹部２１から離脱するのを確実にかつ良好に防ぐことができると共に、ねじ部材１１の外周に位置する時計バンド１０の一端部１０ａの固定を強固にすることができ、これにより時計バンド１０の一端部１０ａを腕時計ケース１のバンド取付部１３に確実にかつ強固に取り付けることができる。
【００５１】
また、このバンド取付構造では、ねじ部材１１が腕時計ケース１の外側面に対して傾斜した状態で取り付けられていることにより、この傾斜した状態のねじ部材１１によって時計バンド１０の一端部１０ａを腕時計ケース１のバンド取付部１３に確実に取り付けることができる。これによっても、時計バンド１０の一端部１０ａと腕時計ケース１との間に隙間が発生するのを防ぐことができると共に、手首への時計バンド１０の締め付けを軽減することができ、腕時計ケース１を腕に良好に装着することができる。
【００５２】
すなわち、ねじ部材１１は、その中心軸が腕時計ケース１の中心を通る放射線上に位置するように傾斜し、かつ腕時計ケース１の上下方向に対しても傾斜しているので、時計バンド１０の一端部１０ａを腕時計ケース１のバンド取付部１２に確実にかつ良好に取り付けることができ、これにより時計バンド１０の一端部１０ａと腕時計ケース１との間に隙間が発生するのを防ぐことができると共に、手首への時計バンド１０の締め付けを軽減することができる。
【００５３】
この場合、ねじ部材１１は、腕時計ケース１のねじ穴１４に螺合するねじ部１１ａと、と、時計バンド１０の取付孔１６の内径よりも大きい首部１１ｂと、この首部１１ｂの外径よりも更に大きい外径の頭部１１ｃと、を有していることにより、首部１１ｂを時計バンド１０の取付孔１６に挿入させて、ねじ部１１ａを腕時計ケース１のねじ穴１４に螺合させて締め付けた際に、頭部１１ｃで時計バンド１０を腕時計ケースに押し付けることができる。
【００５４】
このため、時計バンド１０をウレタン樹脂などの軟質の合成樹脂で形成しても、ねじ部材１１の頭部１１ｃによって時計バンド１０の一端部１０ａを腕時計ケース１のバンド取付部１２に確実に押し付けて取り付けることができるほか、頭部１１ｃの外端面が時計バンド１０の外表面とほぼ同じ平面で取り付けられることにより、外観的に好ましいものを得ることができる。
【００５５】
また、このバンド取付構造では、時計バンド１０に、ねじ部材１１の頭部１１ｃが配置する頭部挿入凹部１７が設けられており、この頭部挿入凹部１７内に、ねじ部材１１の頭部１１ｂによって時計バンド１０に押し付けられる補強部材１８が設けられているので、ねじ部材１１のねじ部１１ａが腕時計ケース１のねじ穴１４に螺合して締め付けられた際に、ねじ部材１１の頭部１１ｃによって補強部材１８が時計バンド１０を腕時計ケース１に確実に押し付けることができる。
【００５６】
すなわち、補強部材１８は、ねじ部材１１の首部１１ｂが挿入するリング部１８ａと、ねじ部材１１の頭部１１ｃが配置する筒状部１８ｂとを有し、リング部１８ａの内径が首部１１ｂの外径とほぼ同じで、かつ外径が頭部挿入凹部１７の内径と同じ大きさで形成され、筒状部１８ｂの内径が棒部１１ｃの外径とほぼ同じで、かつ外径が頭部挿入凹部１７の内径と同じ大きさで形成されているので、時計バンド１０の頭部挿入凹部１７内に補強部材１８を密着させた状態で良好に嵌め込むことができる。
【００５７】
これにより、ねじ部材１１のねじ部１１ａが補強部材１８のリング部１８ａを通して時計バンド１０の取付孔１６に挿入し、このねじ部１１ａが腕時計ケース１のねじ穴１４に螺合した際に、頭部１１ｃを補強部材１８の筒状部１８ｂ内に配置することができ、この状態でねじ部材１１が締め付けられると、頭部１１ｃによって補強部材１８のリング部１８ａを時計バンド１０の頭部挿入凹部１７の底部に押し付けることができる。
【００５８】
このため、補強部材１８による時計バンド１０の押圧面積を広くすることができるので、時計バンド１０の固定力を大きくすることができる。すなわち、補強部材１８のリング部１８ａによって時計バンド１０を腕時計ケース１のバンド取付部１２に確実に押し付けることができるので、時計バンド１０の押圧面積を広くすることができる。これにより、時計バンド１０がウレタン樹脂などの軟質の合成樹脂で形成されていても、時計バンド１０を腕時計ケース１のバンド取付部１２に確実にかつ強固に取り付けることができる。
【００５９】
この場合には、補強部材１８の筒状部１８ｂがねじ部材１１の締め付けによって時計バンド１０の頭部挿入凹部１７内に押し込まれるので、頭部１１ｃの外端面を筒状部１８ｂの外端部と同じ平面に配置することができ、これにより外観的に好ましいばかりか、補強部材１８の筒状部１８ｂの外端部がデザイン的なアクセントとなり、デザイン的にも好ましいものを提供することができる。
【００６０】
さらに、このバンド取付構造では、時計バンド１０の取付孔１６の軸方向の長さＬ１が、腕時計ケース１の嵌合突起２０の内周面と補強部材１８の外周面との間の距離Ｌ２よりも長い（Ｌ１＞Ｌ２）ことにより、腕時計ケース１の下側から時計バンド１０が引っ張り上げられた際に、嵌合突起２０が係合凹部２１から離脱するのを確実に防ぐことができる。このため、時計バンド１０をウレタン樹脂などの軟質の合成樹脂で形成しても、腕時計ケース１のバンド取付部１２に対して時計バンド１０の一端部１０ａがめくれ上がって外れないようにすることができる。
【００６１】
この場合、バンド固定部１３の外周を囲う嵌合凹部１５の側壁部１５ａのうち、腕時計ケース１の外周に沿う両側に位置する側壁部１５ａは、その肉厚が厚く形成され、バンド固定部１３の両側面に対応して当接することにより、バンド固定部１３の両側面を覆うように構成されているので、めくれ防止部１９の係合凹部２１に対応する個所の時計バンド１０の肉厚が薄くても、嵌合凹部１５の側壁部１５ａによって時計バンド１０の強度を確保することができ、これによっても時計バンド１０の一端部１０ａのめくれを防ぐことができる。
【００６２】
（第２実施形態）
次に、図５および図６を参照して、この発明を腕時計に適用した第２実施形態について説明する。なお、図１〜図４に示された第１実施形態と同一部分には同一符号を付して説明する。
この腕時計は、図５および図６に示すように、腕時計ケース１に対する時計バンド１０のめくれを防ぐめくれ防止部２４が第１実施形態と異なる構成であり、これ以外は第１実施形態と同じ構成になっている。
【００６３】
このめくれ防止部２４は、図５および図６に示すように、腕時計ケース１のバンド取付部１２におけるバンド固定部１３のねじ穴１４の近傍に設けられた嵌合突起２５と、時計バンド１０の嵌合凹部１５の取付孔１６の近傍に設けられて嵌合突起２５が係合する係合凹部２６と、を有している。
【００６４】
嵌合突起２５は、図６（ａ）および図６（ｂ）に示すように、バンド取付部１２の両側部に設けられたバンド固定部１３の下部、つまりねじ穴１４の下側に位置する下部に平板状に突出して設けられている。すなわち、この嵌合突起２５は、図５に示すように、その突出長さが、バンド取付部１２の中間部の突出長さとほぼ同じ長さ、つまりねじ部材１１の首部１１ｂの軸方向の長さとほぼ同じ長さに形成されている。
【００６５】
係合凹部２６は、図５に示すように、嵌合突起２０が嵌合する断面ほぼ長方形状の溝部であり、バンド取付部１２のバンド固定部１３が対応する時計バンド１０の嵌合凹部１５の個所における下部、つまり取付孔１６の下側に位置する下部に設けられている。この場合、時計バンド１０の取付孔１６の軸方向の長さＬ３は、嵌合突起２５の上面と補強部材１８の外周面との間の距離Ｌ４よりも長く（Ｌ３＞Ｌ４）形成されている。
【００６６】
このため、このめくれ防止部２４は、図５に示すように、時計バンド１０の一端部１０ａがバンド取付部１２に取り付けられて、嵌合突起２５が係合凹部２６に嵌合することにより、時計バンド１０を腕時計ケース１に対して位置決めすると共に、腕時計ケース１の下側から時計バンド１０が引っ張り上げられた際に、時計バンド１０の一端部１０ａがバンド取付部１２からめくれ上がって外れないように構成されている。
【００６７】
このような腕時計のバンド取付構造によれば、第１実施形態と同様の作用効果があるほか、めくれ防止部２４が、腕時計ケース１のバンド取付部１２におけるねじ穴１４の近傍に設けられた嵌合突起２５と、時計バンド１０の取付孔１６の近傍に設けられて嵌合突起２５が係合する係合凹部２６と、を有しているので、腕時計ケース１の嵌合突起２５が時計バンド１０の係合凹部２６に係合することにより、腕時計ケース１に対して正確にかつ確実に位置規制することができるほか、腕時計ケース１に対する時計バンド１０の一端部１０ａのめくれを確実に防ぐことができる。
【００６８】
すなわち、めくれ防止部２４は、嵌合突起２５がバンド取付部１２におけるねじ穴１４の下側に位置する個所に設けられており、係合凹部２６が嵌合突起２０に対応する時計バンド１０における取付孔１６の下側に位置する個所に設けられ、腕時計ケース１の嵌合突起２５が時計バンド１０の係合凹部２６に係合することにより、腕時計ケース１に対する時計バンド１０のめくれを防ぐことができるほか、時計バンド１０の一端部１０ａを腕時計ケース１に対して正確にかつ確実に位置決めすることができる。
【００６９】
このため、時計バンド１０がウレタン樹脂などの軟質の合成樹脂で形成されていても、腕時計ケース１の下側から時計バンド１０が引っ張り上げられた際に、めくれ防止部２４の嵌合突起２５と係合凹部２６とによって時計バンド１０の取付孔１６の広がり変形を抑制することができるので、時計バンド１０の引っ張りに対する強度が増し、時計バンド１０を腕時計ケース１に対して強固に固定することができ、時計バンド１０を外れ難くすることができる。
【００７０】
この場合、時計バンド１０の取付孔１６は、その軸方向の長さＬ３が、腕時計ケース１の嵌合突起２５の上面と補強部材１８の下面との間の距離Ｌ４よりも長く（Ｌ３＞Ｌ４）形成されていることにより、腕時計ケース１の下側から時計バンド１０が引っ張り上げられた際に、嵌合突起２５が係合凹部２６から離脱するのを防ぐことができる。このため、時計バンド１０がウレタン樹脂などの軟質の合成樹脂で形成されていても、腕時計ケース１のバンド取付部１２に対して時計バンド１０の一端部１０ａがめくれ上がって外れないようにすることができる。
【００７１】
この場合にも、第１実施形態と同様、バンド固定部１３の外周を囲う嵌合凹部１５の側壁部１５ａのうち、腕時計ケース１の外周に沿う両側に位置する側壁部１５ａは、その肉厚が厚く形成され、バンド固定部１３の両側面に対応して当接することにより、バンド固定部１３の両側面を覆うように構成されているので、めくれ防止部２４の係合凹部２６に対応する個所の時計バンド１０の肉厚が薄くても、嵌合凹部１５の側壁部１５ａによって時計バンド１０の強度を確保することができ、これによっても時計バンド１０の一端部１０ａのめくれを防ぐことができる。
【００７２】
なお、上述した第１、第２の各実施形態では、補強部材１８がリング部１８ａと筒状部１８ｂとを有している場合について述べたが、必ずしも筒状部１８ｂを備えている必要はなく、ワッシャ状のリング部１８ａのみで形成された構成であっても良い。
【００７３】
また、上述した第１、第２の各実施形態では、時計バンド１０がウレタン樹脂などの軟質の合成樹脂で形成されている場合について述べたが、これに限らず、例えば金属駒を順次連結した金属バンドにも適用することができる。
【００７４】
また、上述した第１、第２の各実施形態では、腕時計ケース１が硬質の合成樹脂製のケース本体２と軟質の合成樹脂製の外装ケース３とで構成されている場合について述べたが、必ずしも外装ケース３を備えている必要はなく、ケース本体２のみで構成されていても良く、またケース本体２は合成樹脂である必要はなく、金属で形成されていても良い。
【００７５】
さらに、上述した第１、第２の各実施形態では、腕時計に適用した場合について述べたが、必ずしも腕時計である必要はなく、例えば腕などの人体に装着して使用する血圧計や脈拍計などの電子機器に適用することができるほか、鞄やバッグなどにも適用することができる。
【００７６】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００７７】
（付記）
請求項１に記載の発明は、外側面にねじ穴が外部から内部に向けて設けられたケースと、一端部に取付孔が前記ケースの前記ねじ穴と同一軸上に対応して設けられたバンドと、このバンドの前記取付孔を通して前記ケースの前記ねじ穴に螺合して前記バンドを前記ケースに取り付けるねじ部材と、このねじ部材の近傍に設けられて前記ケースに対する前記バンドのめくれを防ぐめくれ防止部と、を備えていることを特徴とするバンド取付構造である。
【００７８】
請求項２に記載の発明は、請求項１に記載のバンド取付構造において、前記めくれ防止部は、前記ケースの前記外側面における前記ねじ穴の近傍に設けられた嵌合突起と、前記バンドの前記取付孔の近傍に設けられて前記嵌合突起が係合する係合凹部と、を有していることを特徴とするバンド取付構造である。
【００７９】
請求項３に記載の発明は、請求項２に記載のバンド取付構造において、前記嵌合突起は前記ねじ穴の外周に沿ってほぼ円弧状に設けられており、前記係合凹部は前記嵌合突起に対応する前記取付孔の外周に沿ってほぼ円弧状に設けられていることを特徴とするバンド取付構造である。
【００８０】
請求項４に記載の発明は、請求項１〜請求項３のいずれかに記載のバンド取付構造において、前記ねじ部材は、前記ケースの前記外側面に対して傾斜した状態で取り付けられていることを特徴とするバンド取付構造である。
【００８１】
請求項５に記載の発明は、請求項１〜請求項４のいずれかに記載のバンド取付構造において、前記ねじ部材は、前記ケースの前記ねじ穴に螺合するねじ部と、前記バンドの前記取付孔に挿入する首部と、前記バンドの前記取付孔の内径よりも大きい頭部とを有し、前記頭部の外端面が前記バンドの外表面とほぼ同じ平面で取り付けられていることを特徴とするバンド取付構造である。
【００８２】
請求項６に記載の発明は、請求項５に記載のバンド取付構造において、前記バンドには、前記ねじ部材の前記頭部が配置する頭部挿入凹部が設けられており、この頭部挿入凹部内には、前記ねじ部材の前記頭部によって前記バンドに押し付けられる補強部材が設けられていることを特徴とするバンド取付構造である。
【００８３】
請求項７に記載の発明は、請求項６に記載のバンド取付構造において、前記バンドの前記取付孔は、その軸方向の長さが、前記ケースの前記嵌合突起の内周面と前記補強部材の外周面との間の距離よりも長く形成されていることを特徴とするバンド取付構造である。
【００８４】
請求項８に記載の発明は、請求項１〜請求項７のいずれかに記載されたバンド取付構造を備えていることを特徴とする腕時計である。
【符号の説明】
【００８５】
１  腕時計ケース
２  ケース本体
３  外装ケース
１０  時計バンド
１０ａ  一端部
１１  ねじ部材
１１ａ  ねじ部
１１ｂ  首部
１１ｃ  頭部
１２  バンド取付部
１３  バンド固定部
１４  ねじ穴
１５  嵌合凹部
１６  取付孔
１７  頭部挿入凹部
１８  補強部材
１８ａ  リング部
１８ｂ  筒状部
１９、２４  めくれ防止部
２０、２５  嵌合突起
２１、２６  係合凹部
【図１】
2015213696.tif 000003
【図２】
2015213696.tif 000004
【図３】
2015213696.tif 000005
【図４】
2015213696.tif 000006
【図５】
2015213696.tif 000007
【図６】
2015213696.tif 000008